(57)【要約】【課題】風呂の追い焚きの点火水量を低く設定でき、確実に追い焚きを実行することができるようにする。【解決手段】追い焚きスイッチを押すと、コントローラは、Ｓ１で風呂循環経路の湯温を検出し、Ｓ２で、検出した湯温に応じて風呂側バーナの能力を設定する。この能力の設定は、湯温が所定の閾値より高ければ低能力（ガスインプット小）、当該閾値より低ければ高能力（ガスインプット大）とする段階的な設定等が考えられる。次に、Ｓ３で、循環ポンプを作動させて浴槽の湯を循環させ、Ｓ４で流水スイッチのＯＮを確認すると、コントローラは、Ｓ５で、Ｓ２で設定した能力で風呂側バーナを点火させて追い焚きを開始する。Ｓ６で、風呂サーミスタで検出される湯温が設定温度に到達したことが確認されると、Ｓ７で、風呂側バーナを消火させると共に、循環ポンプを停止させて追い焚きを終了する。【選択図】図２
2018204862.tif 000002
【特許請求の範囲】
【請求項１】
給湯側バーナと、その給湯側バーナの燃焼排気によって内部を通過する水を加熱する給湯側熱交換器とを備えてなる給湯加熱部と、
風呂側バーナと、前記風呂側バーナの燃焼排気によって内部を通過する湯水を加熱する風呂側熱交換器とを備え、前記風呂側熱交換器と浴槽との間に、前記給湯加熱部と接続される風呂循環経路を形成する風呂加熱部と、
前記風呂循環経路の湯水の温度を検出する温度検出手段と、
前記給湯側バーナ及び前記風呂側バーナの燃焼を制御すると共に、前記浴槽内の湯水の追い焚きを実行するコントローラと、を含んでなる風呂給湯器であって、
前記コントローラは、前記追い焚きの実行時には、前記温度検出手段による検出温度に応じて、前記風呂側バーナの燃焼能力を変更することを特徴とする風呂給湯器。
【請求項２】
前記燃焼能力は、前記検出温度が高い場合には低く、前記検出温度が低い場合には高くなるように変更することを特徴とする請求項１に記載の風呂給湯器。
【発明の詳細な説明】
【技術分野】
【０００１】
本発明は、給湯加熱部と風呂加熱部とを備えた風呂給湯器に関する。
【背景技術】
【０００２】
従来、浴槽の湯水を加熱する機能を備えた風呂給湯器が広く実用に供されている。この風呂給湯器は、例えば特許文献１に開示されるように、給湯側熱交換器及び当該熱交換器を加熱する給湯側バーナを備えた給湯側燃焼室と、給湯側熱交換器を通過した湯を出湯する出湯管とを含んでなる給湯回路（給湯加熱部）と、風呂側熱交換器及び当該熱交換器を加熱する風呂側バーナを備えた風呂側燃焼室と、風呂側熱交換器と浴槽との間に接続される戻り配管及び往き配管とで、給湯回路と接続される循環経路を形成してなる風呂回路（風呂加熱部）と、を併設したものが知られている。風呂回路では、給湯回路から循環経路を介して浴槽に湯張りする他、ポンプによって浴槽の湯水を風呂側熱交換器との間で循環させながら風呂側バーナを燃焼させることで、浴槽の湯水を沸かし上げたり、追い焚きによって保温したりすることができるようになっている。
【先行技術文献】
【特許文献】
【０００３】
【特許文献１】特開２０１３−１７０７９４号公報
【発明の概要】
【発明が解決しようとする課題】
【０００４】
上記従来の風呂給湯器において、追い焚きは風呂側バーナの能力を固定して行っているため、循環経路を循環する浴槽の湯水の温度が高い場合でも、風呂側バーナが空焚きしないように、固定能力に合わせて点火水量を設定せざるを得なかった。
しかし、風呂給湯器の設置現場で、循環経路の配管が、指定した径よりも小径のものが使用されたり、浴槽と配管とを接続するバスアダプタに詰まりが生じたりして、風呂側バーナの点火水量が確保できない場合があり、結果、追い焚きができなかったり配管の交換を余儀なくされたりしてしまう。
【０００５】
そこで、本発明は、風呂の追い焚きの点火水量を低く設定でき、確実に追い焚きを実行することができる風呂給湯器を提供することを目的としたものである。
【課題を解決するための手段】
【０００６】
上記目的を達成するために、請求項１に記載の発明は、給湯側バーナと、その給湯側バーナの燃焼排気によって内部を通過する水を加熱する給湯側熱交換器とを備えてなる給湯加熱部と、風呂側バーナと、風呂側バーナの燃焼排気によって内部を通過する湯水を加熱する風呂側熱交換器とを備え、風呂側熱交換器と浴槽との間に、給湯加熱部と接続される風呂循環経路を形成する風呂加熱部と、風呂循環経路の湯水の温度を検出する温度検出手段と、給湯側バーナ及び風呂側バーナの燃焼を制御すると共に、浴槽内の湯水の追い焚きを実行するコントローラと、を含んでなる風呂給湯器であって、
コントローラは、追い焚きの実行時には、温度検出手段による検出温度に応じて、風呂側バーナの燃焼能力を変更することを特徴とする。
請求項２に記載の発明は、請求項１の構成において、燃焼能力は、検出温度が高い場合には低く、検出温度が低い場合には高くなるように変更することを特徴とする。
【発明の効果】
【０００７】
請求項１に記載の発明によれば、温度検出手段による検出温度に応じて、風呂側バーナの燃焼能力を変更することで、風呂の追い焚きの点火水量を低く設定できる。よって、風呂循環経路の配管が、指定した径よりも小径のものが使用されたり、浴槽と配管とを接続するバスアダプタに詰まりが生じたりしても、確実に追い焚きを実行することができる。
請求項２に記載の発明によれば、請求項１の効果に加えて、燃焼能力は、検出温度が高い場合には低く、検出温度が低い場合には高くなるように変更するので、検出温度に応じて燃焼能力を段階的又は比例的に設定することができる。
【図面の簡単な説明】
【０００８】
【図１】風呂給湯器の概略回路図である。
【図２】自動追い焚き運転のフローチャートである。
【発明を実施するための形態】
【０００９】
以下、本発明の実施の形態を図面に基づいて説明する。
図１は、風呂給湯器の概略回路図で、風呂給湯器１は、給湯側燃焼室４内に給湯側バーナ５，５・・と給湯側熱交換器としての一次熱交換器６及び二次熱交換器７とをそれぞれ備えて水道水を加熱し出湯させる給湯加熱部２と、風呂側燃焼室２０内に風呂側バーナ２１及び風呂側熱交換器２２を備えて風呂の追い炊き等に利用される風呂加熱部３とからなる。
まず給湯加熱部２において、二次熱交換器７の入口には、給湯水量センサ９を備えて上水道から水道水を供給する給水管８が接続され、二次熱交換器７の出口と一次熱交換器６の入口との間には、二次熱交換器７で加熱された湯を一次熱交換器６へ供給する連結管１０が接続されて、一次熱交換器６の出口に、給湯サーミスタ１２を備えて一次熱交換器で加熱された湯を出湯する出湯管１１が接続されている。１３は給湯栓である。
【００１０】
また、給湯側燃焼室４内において、一次熱交換器６は給湯側バーナ５の燃焼排気経路の上流側に、二次熱交換器７は燃焼排気経路の下流側にそれぞれ配設されて、伝熱管内の通水を燃焼排気と熱交換させるようになっている。給湯側バーナ５へのガスの供給を行うガス管１４には、上流側からガス元電磁弁１５、給湯ガス比例制御弁１６、各給湯バーナ５への分岐管ごとの給湯切替電磁弁１７，１７・・がそれぞれ設けられている。給湯側燃焼室４の下方には、燃焼用空気を各給湯側バーナ５及び風呂側バーナ２１へ供給するファン１８が設けられている。１９は点火用のイグナイタである。
【００１１】
一方、風呂加熱部３において、風呂側熱交換器２２と浴槽２３との間には、循環ポンプ２５及び、温度検出手段としての風呂サーミスタ２６を備えた戻り配管２４と、往き配管２７とが接続されている。但し、戻り配管２４は、器具外部で外部戻り配管２４ａを介して浴槽２３に接続され、往き配管２７は、器具外部で外部往き配管２７ａを介して浴槽２３に接続されている。
戻り配管２４には、出湯管１１から分岐されて給湯用電磁弁２９及び落とし込み水量センサ３０を備えた落とし込み管２８が接続され、落とし込み管２８に設けた給湯用電磁弁２９を開弁させることで、給湯加熱部２で加熱された湯を浴槽２３へ供給可能となっている。この風呂側熱交換器２２、戻り配管２４、外部戻り配管２４ａ、往き配管２７、外部往き配管２７ａとで、浴槽２３の湯水を循環させる風呂循環経路を形成している。戻り配管２４には、風呂循環経路の一定以上の水量でＯＮ動作する流水スイッチ３１が設けられている。
【００１２】
また、風呂側バーナ２１に接続されるガス管１４からの分岐管には、切替電磁弁３２が設けられている。３３，３４は、落とし込み管２８において給湯用電磁弁２９の下流側に設けられた逆止弁で、戻り配管２４において、落とし込み管２８との接続部よりも上流側には、戻り配管２４を開閉可能な弁体を駆動させる制御モータ３５が設けられている。３６はコントローラ、３７は給湯リモコン、３８は風呂リモコンである。
【００１３】
以上の如く構成された風呂給湯器１においては、まず通常の給湯は以下の如くなされる。
出湯管１１に設けられた給湯栓１３が開栓されて器具内に通水され、その通水を給湯水量センサ９で検知すると、コントローラ３６は、ファン１８を所定時間回転させて、給湯側燃焼室４及び風呂側燃焼室２０内に貯留している燃焼排気を排出させる（プリパージ）。その後、ガス管１４のガス元電磁弁１５、各給湯切替電磁弁１７を開弁させ、給湯ガス比例制御弁１６を所定開度で開弁させて、各給湯側バーナ５へガスを供給すると共に、イグナイタ１９を作動させて給湯側バーナ５，５・・に点火する。
【００１４】
すると、給湯側バーナ５の燃焼排気は、まず一次熱交換器６を通過して伝熱管の通水と熱交換した後、二次熱交換器７を通過して伝熱管の通水と熱交換して外部へ排出される。これにより、一次熱交換器６で顕熱が、二次熱交換器７で潜熱がそれぞれ回収されて加熱された湯が給湯栓１３から出湯される。
【００１５】
コントローラ３６は、出湯管１１の給湯サーミスタ１２によって出湯温度を監視し、出湯温度が給湯リモコン３７又は風呂リモコン３８によって指示された設定温度となるように、給湯切替電磁弁１７の開閉制御と、給湯ガス比例制御弁１６の開度調整とを行うと共に、ファン１８の回転数制御によって空気量を連続的に変化させる。給湯栓１３を閉じると、給湯水量センサ９の信号停止を確認したコントローラ３６は、ガス元電磁弁１５及び給湯切替電磁弁１７を閉じて給湯バーナ５を消火させ、所定時間ファン１８を回転させてポストパージを行う。
【００１６】
そして、浴槽２３への湯張りは、給湯リモコン３７又は風呂リモコン３８に設けられた湯張りスイッチを押すと、コントローラ３６は、落とし込み管２８の給湯用電磁弁２９を開弁して給湯加熱部２に通水させる。給湯水量センサ９で検知される水量が点火水量に達したことを確認したら、コントローラ３６は、給湯側バーナ５を燃焼させ、出湯管１１からの湯を、落とし込み管２８及び戻り配管２４を介して浴槽２３に供給する。このとき制御モータ３５によって戻り配管２４の流路は開弁している。
落とし込み管２８に設けた落とし込み水量センサ３０で検出した水量が設定水量に達したことが確認されると、コントローラ３６は、給湯用電磁弁２９を閉じて通水を停止し、給湯側バーナ５を消火させて湯張りを終了する。
【００１７】
一方、コントローラ３６は、風呂リモコン３８に設けられた追い焚きスイッチを押すと、循環ポンプ２５を作動させて浴槽２３の湯を循環させ、風呂側バーナ２１を点火させて、設定温度まで自動的に追い焚きを行う。この自動追い焚き運転を図２のフローチャートに基づいて説明する。
追い焚きスイッチを押すと、コントローラ３６は、Ｓ１で、風呂サーミスタ２６により、風呂循環経路の湯温を検出する。Ｓ２で、検出した湯温に応じて風呂側バーナ２１の能力を設定する。この能力の設定は、湯温が所定の閾値より高ければ低能力（ガスインプット小）、当該閾値より低ければ高能力（ガスインプット大）とする段階的な設定や、予め設定した関数等により、湯温が高くなるに従って能力を徐々に低くする比例的な設定等が考えられる。これにより、追い焚き開始時の湯温が高いと風呂側バーナ２１の能力が低くなるため、点火水量（流水スイッチ３１がＯＮする水量）は従来よりも低く設定される。
【００１８】
次に、Ｓ３で、循環ポンプ２５を作動させて浴槽２３の湯を循環させ、Ｓ４で流水スイッチ３１のＯＮを確認すると、コントローラ３６は、Ｓ５で、Ｓ２で設定した能力で風呂側バーナ２１を点火させて追い焚きを開始する。
Ｓ６で、風呂サーミスタ２６で検出される湯温が設定温度に到達したことが確認されると、Ｓ７で、風呂側バーナ２１を消火させると共に、循環ポンプ２５を停止させて追い焚きを終了する。
【００１９】
このように、上記形態の風呂給湯器１によれば、コントローラ３６は、追い焚きの実行時には、風呂サーミスタ２６による検出温度に応じて、風呂側バーナ２１の燃焼能力を変更することで、風呂の追い焚きの点火水量を低く設定できる。よって、風呂循環経路の外部戻り配管２４ａや外部往き配管２７ａが、指定した径よりも小径で使用されたり、浴槽２３と外部戻り配管２４ａ及び外部往き配管２７ａとを接続するバスアダプタに詰まりが生じたりしても、確実に追い焚きを実行することができる。
特にここでは、風呂側バーナ２１の燃焼能力は、風呂サーミスタ２６の検出温度が高い場合には低く、検出温度が低い場合には高くなるように変更するので、検出温度に応じて燃焼能力を段階的又は比例的に設定することができる。
【００２０】
なお、上記形態では、風呂循環経路の湯温に応じた風呂側バーナの燃焼能力の設定を二段階で行う場合を例示しているが、二段階に限らず、閾値を複数設定して三段階以上で能力を設定しても差し支えない。また、風呂側バーナの燃焼能力も、ガスインプットの変更に限らず、給湯側バーナのように複数段ある場合は段数の変更によって燃焼能力を変更することもできる。
その他、上記形態では、給湯加熱部に給湯側熱交換器として一次熱交換器と二次熱交換器とを備えているが、二次熱交換器がなく、一次熱交換器のみ備える給湯加熱部であっても差し支えない。風呂加熱部においても、風呂側熱交換器として一次熱交換器と二次熱交換器とを備えるものであってもよい。
【符号の説明】
【００２１】
１・・風呂給湯器、２・・給湯加熱部、３・・風呂加熱部、４・・給湯側燃焼室、５・・給湯側バーナ、６・・一次熱交換器、７・・二次熱交換器、８・・給水管、１１・・出湯管、２０・・風呂側燃焼室、２１・・風呂側バーナ、２２・・風呂側熱交換器、２３・・浴槽、２４・・戻り配管、２４ａ・・外部戻り配管、２５・・循環ポンプ、２６・・風呂サーミスタ、２７・・往き配管、２７ａ・・外部往き配管、３１・・流水スイッチ、３６・・コントローラ、３７・・給湯リモコン、３８・・風呂リモコン。
【図１】
2018204862.tif 000003
【図２】
2018204862.tif 000004